(57)【要約】【課題】外部出力機器に応じてこれに再生のために出力する感覚データを選択可能としたデータ出力装置およびデータ出力方法を得る。【解決手段】ユーザ１６１は、自身の携帯端末装置１００で映像や音を再生することができるが、これらの視聴データ（感覚データ）を大型の視聴装置１６８に送って迫力ある再生を行うことができる。この際に、携帯端末装置１００のディスプレイに表示される電子メールの受信表示等の表示を表示画面１６９で表示しないように視聴装置１６８に送出するデータを制限したり、反対に内部で再生できないデータを送出するようなデータの取捨選択が可能である。【選択図】図３
2006262190.tif 000002
【特許請求の範囲】
【請求項１】
映像等の人間の各種の感覚を刺激する感覚データの一部または全部を内蔵の出力機器に出力する内部出力手段と、
前記感覚データの一部または全部を外部出力機器に出力する外部出力手段と、
前記内部出力手段と外部出力手段に前記感覚データを出力する際の出力される感覚データの種類の対応関係を設定した感覚データ種類対応関係設定手段と、
この感覚データ種類対応関係設定手段の設定内容に従って前記内部出力手段および前記外部出力手段から出力される感覚データの種類を選択する感覚データ種類選択手段
とを具備することを特徴とするデータ出力装置。
【請求項２】
映像等の人間の各種の感覚を刺激する感覚データの全部を内蔵の出力機器に出力する内部出力手段と、
前記感覚データの一部または全部を外部出力機器に出力する外部出力手段と、
前記内部出力手段と外部出力手段に前記感覚データを出力する際の出力される感覚データの種類の対応関係を設定した感覚データ種類対応関係設定手段と、
前記感覚データを前記外部出力手段のみから出力するとき、感覚データ種類対応関係設定手段の設定内容に従ってその種類を選択する感覚データ種類選択手段
とを具備することを特徴とするデータ出力装置。
【請求項３】
前記内部出力手段と外部出力手段は、択一的にそれらの出力が選択されることを特徴とする請求項１または請求項２記載のデータ出力装置。
【請求項４】
前記内部出力手段と外部出力手段は、時間的に並行して前記感覚データを出力することを特徴とする請求項１または請求項２記載のデータ出力装置。
【請求項５】
前記感覚データは視覚を刺激する画像データと聴覚を刺激する音データを少なくとも含むことを特徴とする請求項１または請求項２記載のデータ出力装置。
【請求項６】
前記感覚データは臭覚を刺激する匂いデータを少なくとも含むことを特徴とする請求項１または請求項２記載のデータ出力装置。
【請求項７】
前記感覚データは振動を検知する振動データを少なくとも含むことを特徴とする請求項１または請求項２記載のデータ出力装置。
【請求項８】
通話データを送受信する通話データ送受信手段と、通話の相手方からの着信を検知する着信検知手段を備え、前記感覚データ種類対応関係設定手段は、前記外部出力手段から出力される感覚データのうちで着信に伴う通知を制限するように前記感覚データの種類の対応関係を設定していることを特徴とする請求項１または請求項２記載のデータ出力装置。
【請求項９】
電子メールを受信する電子メール受信手段と、電子メールの送信の相手方からの受信を検知する電子メール受信検知手段を備え、前記感覚データ種類対応関係設定手段は、前記外部出力手段から出力される感覚データのうちで電子メールの受信に伴う通知を制限するように前記感覚データの種類の対応関係を設定していることを特徴とする請求項１または請求項２記載のデータ出力装置。
【請求項１０】
前記外部出力手段の出力の対象となる外部出力機器の種別を判別する外部出力機器種別判別手段を備え、感覚データ種類対応関係設定手段は外部出力機器の種別に応じて前記感覚データを出力する際の出力される感覚データの種類の対応関係を設定しており、前記感覚データ種類選択手段は部出力機器の種別に応じて前記外部出力手段から出力される感覚データの種類を選択することを特徴とする請求項１または請求項２記載のデータ出力装置。
【請求項１１】
前記外部出力手段の出力の対象となる外部出力機器は、前記感覚データ種類選択手段の選択に伴う制限内容に応じて複数に分類されており、前記感覚データ種類対応関係設定手段は外部出力機器の前記分類に応じて前記感覚データを出力する際の出力される感覚データの種類の対応関係を設定しており、前記感覚データ種類選択手段は部出力機器の分類に応じて前記外部出力手段から出力される感覚データの種類を選択することを特徴とする請求項１または請求項２記載のデータ出力装置。
【請求項１２】
着信時に前記外部出力手段が前記外部出力手段と接続されているか否かを判別する接続有無判別手段を備え、前記感覚データ種類選択手段は前記外部出力手段から出力される感覚データの種類を選択することを特徴とする請求項１または請求項２記載のデータ出力装置。
【請求項１３】
前記接続有無判別手段の判別する接続は有線によるものであることを特徴とする請求項１２記載のデータ出力装置。
【請求項１４】
前記接続有無判別手段の判別する接続は無線によるものであることを特徴とする請求項１２記載のデータ出力装置。
【請求項１５】
映像等の人間の各種の感覚を刺激する感覚データの一部または全部を自装置で再生するか外部出力機器に転送してその外部出力機器で再生させるかを判別する再生機器判別ステップと、
この再生機器判別ステップで前記外部出力機器に転送して再生させることが判別されたとき、転送先の外部出力機器の種類を判別する種類判別ステップと、
この種類判別ステップで判別された外部出力機器の種類との関係で前記感覚データのうちで転送可能な感覚データを選択する選択ステップと、
この選択ステップで転送可能と選択された感覚データを前記外部出力機器に出力する出力ステップ
とを具備することを特徴とするデータ出力方法。
【請求項１６】
前記選択ステップでは、前記感覚データの元となる情報を外部から受け取ったときのその受け取りに関する情報の取捨選択を行うことを特徴とする請求項１５記載のデータ出力方法。
【発明の詳細な説明】
【技術分野】
【０００１】
本発明は、画像や音声等の人間の各種の感覚を刺激する感覚データを外部出力機器に出力するデータ出力装置およびデータ出力方法に関する。
【背景技術】
【０００２】
携帯電話機だけでなく、ＰＨＳ（Personal Handy-phone System）、ＰＤＡ（Personal Digital Assistant）あるいは携帯型のゲーム端末のような小型の携帯端末装置は、持ち運びに便利であり、交通機関で移動中や移動先に携行できる携帯用の装置として広く使用されている。しかしながら、これら小型の携帯端末装置は、その大きさとの関係で、必然的に画面の面積が小さい。また同様の理由からスピーカも大きなものを使用することができず、かつ複数のスピーカを配置するときの空間距離も大きくとれない。このようなことから、細部まで作りこまれた映画やゲームのようなコンテンツを十分な表現能力で再現することができないという問題がある。また、テレビ電話機能を用いた英会話の勉強のように、リアリティを重要視するビジネスにとっても迫力に欠け、適切な出力手段とはならない。
【０００３】
そこで、携帯電話機を外部出力機器としての家庭用のテレビジョンに接続して画像等の再生を行う提案が行われている（たとえば特許文献１参照）。この提案では、携帯電話機の充電用の外部接続端子からビデオ信号を出力させるようにし、充電用に使用されるＡＣアダプタからビデオ信号を取り出して家庭用のテレビジョンに接続するようにしている。具体的には、充電用のＡＣアダプタのコネクタ側を携帯電話の充電用の外部接続端子に接続し、充電の際には壁等のコンセントに接続する電源プラグをコンセントに接続しない状態とする。そして電源プラグ側に新たに設けたビデオ出力端子からビデオ信号を取り出して、家庭用のテレビジョンに接続する。
【特許文献１】特開２００４−５６６５３号公報（第０００８段落、図１）
【発明の開示】
【発明が解決しようとする課題】
【０００４】
このように、従来行われた提案では、充電用のＡＣアダプタをビデオ信号の出力用に使用している。したがって、家庭用等のテレビジョンには、携帯電話から出力されるビデオ信号によって表わされる画像情報がそのまま映し出されることになる。
【０００５】
図１２は、携帯電話端末から出力されるビデオ信号をそのままテレビジョンに入力した場合に映し出される映像の一例を示したものである。テレビジョン画面５０１には、本来映し出すべき山５０２、５０３および月５０４からなる風景画像の前面上部に、この携帯電話端末の電波の受信レベルを表わした受信レベルマーク５０５と、電池の残量を表わした電池残量マーク５０６が表示されている。また、ちょうど電子メールが受信されたとき、或いは音声通信（着信）を受けたときであるとすると、当該電子メールの送信者、或いは当該音声通信の発信者に関する情報が電話帳に登録されていれば、電子メールを送ってきた送信者、或いは音声通信の発信者についての登録した画像５０８と、その送信者の名前５０９および着信した電話番号５１０が表示されるようになっている。なお、本明細書で電子メールとは携帯電話機等に使用されている名称の如何を問わず、通信ネットワークを介して送受信される電子的なメールをいうことにする。
【０００６】
したがって、このテレビジョンに映し出した映像を見ている者に携帯電話端末のユーザ以外の者が含まれていたような場合には、電子メールの発信者、或いは音声通信の発信者というプライベートな情報がユーザ以外の者に突然示されてしまうことになる。もちろん、携帯電話端末のユーザただ一人がたとえばウエブからダウンロードした映画を再生しているような場合には、このようなプライバシ上の問題は発生しない。しかしながら、たとえば映画を見ている場合には、突然表示された映画以外の画像によって、映画の情報が一部欠落してしまうという問題が発生する。また、受信レベルマーク５０５や電池残量マーク５０６といったマークが目障りになる場合もある。更に、図１２に示したような電子メールの着信、或いは音声通信の着信の場合を例にとると、電子メールの着信音、或いは音声通信の着信音が突然出力されることで俳優等の会話が聞き取れなかったり、耳障りになる場合もある。
【０００７】
以上、携帯電話機に代表される携帯端末装置について説明したが、デスクトップ型のパーソナルコンピュータやディスプレイからなる比較的大型の装置から他の外部出力機器に映像や音等の人間の各種の感覚を刺激する感覚データを出力する場合についても同様の問題がある。たとえば、ある商店の管理部門に配置されたパーソナルコンピュータに、勤めている店員に外部から電話があったことを知らせるメッセージや通知音が出力されることは問題がないとしても、店内に商品検索用等のためとして顧客に解放されたパーソナルコンピュータに同様のメッセージや通知音が出力されるのは好ましくない。
【０００８】
これとは反対に、外部出力機器で再生されてもよい感覚データがその配信元となっている出力機器では事務効率や経費削減といったような観点から再生されない方がよい場合もある。
【０００９】
そこで本発明の目的は、外部出力機器に応じてこれに再生のために出力する感覚データを選択可能としたデータ出力装置およびデータ出力方法を提供することにある。
【課題を解決するための手段】
【００１０】
本発明では、（イ）映像等の人間の各種の感覚を刺激する感覚データの一部または全部を内蔵の出力機器に出力する内部出力手段と、（ロ）感覚データの一部または全部を外部出力機器に出力する外部出力手段と、（ハ）内部出力手段と外部出力手段に感覚データを出力する際の出力される感覚データの種類の対応関係を設定した感覚データ種類対応関係設定手段と、（ニ）この感覚データ種類対応関係設定手段の設定内容に従って内部出力手段および外部出力手段から出力される感覚データの種類を選択する感覚データ種類選択手段とをデータ出力装置に具備させる。
【００１１】
すなわち、本発明では、映像等の人間の各種の感覚を刺激する感覚データの一部または全部を内蔵の出力機器に出力する内部出力手段の他に外部出力機器に出力する外部出力手段を備えている。そして、感覚データ種類対応関係設定手段の記す対応関係で内部出力手段および外部出力手段で感覚データの種類を選択して出力するようにしている。たとえば感覚データとして映画のデータが出力されるとき、その映像データと音データは外部出力手段から出力されて外部出力機器がこれらを再現し、電話の呼出音が途中で発生したような場合には内部出力手段がこれのみを内蔵の出力機器に出力して再生させるか、或いは、内部出力手段および外部出力手段のいずれからも出力しないといった具合である。
【００１２】
また、本発明では、（イ）映像等の人間の各種の感覚を刺激する感覚データの全部を内蔵の出力機器に出力する内部出力手段と、（ロ）感覚データの一部または全部を外部出力機器に出力する外部出力手段と、（ハ）内部出力手段と外部出力手段に感覚データを出力する際の出力される感覚データの種類の対応関係を設定した感覚データ種類対応関係設定手段と、（ニ）感覚データを外部出力手段のみから出力するとき、感覚データ種類対応関係設定手段の設定内容に従ってその種類を選択する感覚データ種類選択手段とをデータ出力装置に具備させる。
【００１３】
すなわち、本発明では、映像等の人間の各種の感覚を刺激する感覚データの一部または全部を内蔵の出力機器に出力する内部出力手段の他に外部出力機器に出力する外部出力手段を備えている。そして、外部出力手段のみから感覚データを出力するときには、感覚データ種類対応関係設定手段の記す対応関係でその取捨選択を行うようにしている。たとえば、感覚データとして映画のデータが出力されるときで、外部出力手段のみから感覚データを出力する場合には、たとえば振動発生装置が備えられたの腰掛を備えた模擬シアタ装置を外部出力機器としたときに、映像データや音データ以外に感覚データのうちの振動データを出力データとして追加した形でその外部出力機器に出力して再生させることができる。
【００１４】
また、本発明では、（イ）映像等の人間の各種の感覚を刺激する感覚データの一部または全部を自装置で再生するか外部出力機器に転送してその外部出力機器で再生させるかを判別する再生機器判別ステップと、（ロ）この再生機器判別ステップで外部出力機器に転送して再生させることが判別されたとき、転送先の外部出力機器の種類を判別する種類判別ステップと、（ハ）この種類判別ステップで判別された外部出力機器の種類との関係で感覚データのうちで転送可能な感覚データを選択する選択ステップと、（ニ）この選択ステップで転送可能と選択された感覚データを外部出力機器に出力する出力ステップとをデータ出力方法に具備させる。
【００１５】
すなわち、本発明では、感覚データの一部または全部を自装置で再生するか外部出力機器に転送してその外部出力機器で再生させるかをまず判別して、外部出力機器に転送して再生させることが判別されたとき、転送先の外部出力機器の種類を判別して、その再生能力あるいは再生できる環境を調べ、これを基にして感覚データのうちで転送可能な感覚データを選択するようにしている。そして、転送可能と選択された感覚データを外部出力機器に出力する。この結果として、外部出力機器の能力や配置された環境に応じた適切な再生が可能になる。
【発明の効果】
【００１６】
以上説明したように、本発明によれば、自装置自体で再生できる感覚データを外部出力機器で再生させるとき、これをそのまま出力するのではなく、外部出力機器に応じて取捨選択できるようにした。このため、自装置がプライベートな装置で外部出力機器が不特定人を対象とした装置である場合のように感覚データを再生する環境に配慮した出力形態を採ることができる。
【発明を実施するための最良の形態】
【００１７】
以下実施例につき本発明を詳細に説明する。
【実施例１】
【００１８】
図１は、本発明の一実施例におけるデータ出力装置としての携帯端末装置の構成を表わしたものである。この携帯端末装置１００は、ＣＰＵ（中央処理装置）１０１およびこのＣＰＵが実行する制御プログラムを格納した記憶媒体としてのＲＯＭ（リード・オンリ・メモリ）１０２および各種データを一時的に格納するＲＡＭ（ランダム・アクセス・メモリ）を配置した制御部１０４を備えている。制御部１０４は、バス１０５を介して携帯端末装置１００内の各部と接続されている。このうち、第１の無線部１０７は、図示しない無線基地局とアンテナ１０８を用いて各種データを送受信するもので、いわゆる電話による通信を行う部分である。第２の無線部１０９は、この携帯端末装置１００内の画像や音からなる視聴データを赤外線等の無線によって近くに存在する出力装置（図示せず）に出力するための装置である。一例として、第２の無線部１０９はＩｒＤＡ（InfraRed Data Association）によって提唱された赤外線通信、無線ＬＡＮ（ローカルエリアネットワーク）あるいはブルートゥース（Bluetooth）による通信を行う。
【００１９】
操作部１１１は、図示しないダイヤルキー等の各種キースイッチから構成されており、操作データを入力する部分である。送受話部１１２は、この携帯端末装置１００のユーザが音声通話を行うための通話用スピーカ１１３とマイクロフォン１１４を接続している。カメラ部１１５は、ＣＣＤ（Charged Coupled Device）あるいはＣ−ＭＯＳ（Complementary Metal Oxide Semiconductor）カメラによって、静止画あるいは動画を取得するようになっている。メインスピーカ１１６は、電話が掛かってきたことを知らせる音のように通話用以外の音を出力する装置である。ディスプレイ１１７は液晶ディスプレイあるいは有機ＥＬ（Electro Luminescence）ディスプレイ等の表示部で構成されている。外部接続部１１８は、前記した視聴データを前記した出力装置に出力するためのコネクタで構成されている。センサ部１１９は、携帯端末装置１００の電源として使用される図示しない電池の電圧を検知するセンサ等の各種センサによって構成されている。なお、ディスプレイ１１７は１つである必要はなく、２つあるいはそれ以上存在してもよい。
【００２０】
図２は、本実施例の携帯端末装置における視聴データの処理に関する回路部分を示したものである。この回路部分は、図１に示したＣＰＵ１０１が制御プログラムを実行することによって機能的に実現する部分と、実際の回路等のハードウェアによって構成されている部分から成っている。携帯端末装置１００は、視聴データ合成部１２１を備えている。この視聴データ合成部１２１は視覚的な映像データと音からなる音データを入力して、使用目的に合わせて合成して視聴データ選択部１２２に出力するようになっている。ここで、視聴データ合成部１２１には、音入力部１２３から各種の音を表わした音データ１３１が入力される。たとえば、図１のマイクロフォン１１４から取得した音や第１の無線部１０７で受信した通話相手の音等である。カメラ部１１５は、静止画あるいは動画からなるカメラ出力データ１３２を視聴データ合成部１２１に入力するようになっている。画像入力部１２４は、このカメラ出力データ１３２以外の画像を表わした画像データ１３３を視聴データ合成部１２１に入力する。たとえば、通話相手の携帯端末装置から通話に伴って送られてくる相手側の画像データや、携帯端末装置１００が第１の無線部１０７を介してインターネットに接続されたような場合で、図示しないコンテンツサーバから静止画や動画からなる画像データが送られてきた場合のデータを挙げることができる。
【００２１】
視聴データ合成部１２１は、これら音データ１３１、カメラ出力データ１３２ならびに画像データ１３３からなる本来的な視聴データとしての第１の視聴データ１３４と、付加情報生成部１３６から出力される付加的な視聴データとしての第２の視聴データ１３７を入力して、各種の組み合わせでこれらの合成を行うようになっている。ここで付加的な視聴データとしては、アドレス帳１４１から得られる電話あるいは電子メールの相手方から送られてくるテキストデータ１４２や、図１のセンサ部１１９の一部を構成する電池残量検出部１４３から得られる電池の容量の残量を示す電池残量データ１４４や、メール送受信部１４５から得られるメール受信の宛先を示す受信宛先データ１４６や、第１の無線部１０７から得られる発着信時の発着信制御データ１４７や、アイコン登録部１４８から得られるアイコンの形状や色等を表わすアイコンデータ１４９や、音データ登録部１５１から得られる各種の音からなる音データ１５２である。これらの付加的な視聴データは、付加情報生成部１３６に入力されるようになっている。
【００２２】
付加情報生成部１３６では、入力されるテキストデータ１４２、電池残量データ１４４、受信宛先データ１４６および発着信制御データ１４７を基にして、図示しない文字パターン格納部を使用してテキスト情報を発生させたり、アイコン登録部１４８からアイコンのうちの所望のものを選択してこれをアイコンデータ１４９として取得して画像情報を発生させたり、あるいは音データ登録部１５１から所望の音を選択して音情報を発生させる。これらのうちのテキスト情報および画情報は、ディスプレイ１１７における画像表示位置を指定して、第２の視聴データ１３７の一部として視聴データ合成部１２１に入力される。音データ登録部１５１から選択的に取得した音データ１５２も視聴データ合成部１２１に入力されることになる。
【００２３】
視聴データ合成部１２１と視聴データ選択部１２２には、視聴データ設定部１５４が接続されている。視聴データ設定部１５４は、操作部１１１を接続している。ユーザは、携帯端末装置１００を視聴データ設定モードに設定した状態で操作部１１１を操作することによって、外部に対して画像や音声からなる視聴データを出力するときの出力の制限内容を設定することができるようになっている。したがって、視聴データ合成部１２１は、視聴データ設定部１５４による設定データ１５５を参照して視聴データの合成を行うことになる。また、視聴データ選択部１２２は同じく設定データ１５５を参照して視聴データの出力先を選択するようになっている。視聴データ選択部１２２は視聴データの選択先として、ディスプレイ１１７、通話用スピーカ１１３、メインスピーカ１１６、外部接続部１１８および第２の無線部１０９を接続している。
【００２４】
本発明の一実施例における携帯端末装置１００は、低消費電力化を図り、電池寿命を長くするため、外部接続部１１８あるいは第２の無線部１０９が画像データを視聴データとして出力しているときは、ディスプレイ１１７の表示駆動は停止させる。同様に、外部接続部１１８あるいは第２の無線部１０９が音データを視聴データとして出力しているときは、メインスピーカ１１６の駆動は停止させるものとする。ただし、視聴データ選択部１２２による視聴データを出力する出力機器の選択の設定がなされている場合は、外部接続部１１８あるいは第２の無線部１０９から視聴データが出力されている状態であってもディスプレイ１１７等を動作させるように設定することができる。
【００２５】
図３は、以上説明した構成の携帯端末装置１００を使用して、パーティ会場で視聴データを大型の視聴装置に出力する視聴システムを表わしたものである。この例では、携帯端末装置１００のユーザ１６１は、インターネット１６２上にレンタルサーバ１６３を借りており、ここに家族旅行等の過去にカメラ部１１５（図１）で撮影した動画あるいは静止画に背景音等を組み合わせた視聴データを蓄積している。ユーザ１６１は、最寄の基地局１６４から携帯通信網１６５を経由してインターネット１６２に接続することで、このレンタルサーバ１６３にアクセスして、必要な視聴データをダウンロードすることができる。ダウンロードした視聴データは、図１に示した内蔵のメインスピーカ１１６やディスプレイ１１７を用いて再生することができるが、第２の無線部１０９から外部に発信することもできる。
【００２６】
パーティ会場１６７には、大型の視聴装置１６８が備えられている。視聴装置１６８は液晶等の大型の表示画面１６９と左右一対のスピーカ１７０、１７１を備えており、更に図１に示す第２の無線部１０９から送られてきた電波を受信する受信部１７２を内蔵している。視聴装置１６８としては、たとえば大型のテレビジョンを使用することができる。視聴装置１６８の受信部１７２が受信した視聴データは復調され、このうちの画像が表示画面１６９に表示され、音がスピーカ１７０、１７１から出力されることになる。視聴装置１６８の前に複数の視聴者１７４、１７５がいれば、ユーザ１６１はこれらの者に対して家族旅行等の視聴データをこれら迫力ある再生手段を用いて視聴させることができる。なお、図示していないが、携帯端末装置１００の外部接続部１１８からケーブル（コネクタ接続）を介して、視聴装置１６８の図示しないデータ入力端子に視聴データを入力させて同様の再生を行うようにしても良い。
【００２７】
図４は、このようにユーザが携帯端末装置に受信中あるいは一度受信した視聴データを無線で外部の視聴装置に出力する際の設定の様子を表わしたものである。図１と共に説明する。携帯端末装置の制御部１０４はメニュー画面の表示要求を待機しており、ユーザが操作部１１１を操作してその要求を行うと（ステップＳ２０１：Ｙ）、メニュー画面の表示を行う（ステップＳ２０２）。このメニュー画面からユーザは操作部１１１を操作して「外部出力設定モード」を選択することになる（ステップＳ２０３：Ｙ）。なお、メニュー画面から他のモードを選択した場合には（ステップＳ２０３：Ｎ、Ｓ２０４：Ｙ）、その選択されたモード（たとえば「インターネット接続モード」や「電子メール送受信モード」あるいは視聴データを外部の視聴装置に出力する「外部出力モード」）が選択されて、その選択されたモードが実行される（ステップＳ２０５）。
【００２８】
「外部出力設定モード」が選択されると（ステップＳ２０３：Ｙ）、制御部１０４は外部出力設定のためのデータをＲＯＭ１０２から読み出す。そして、これをディスプレイ１１７に送って外部出力設定画面を表示する（ステップＳ２０６）。
【００２９】
図５は、外部出力設定画面の表示内容を示したものである。図１に示すディスプレイ１１７には、図５に示した各項目と、設定登録ボタン１８１およびキャンセルボタン１８２が表示される。もちろん、携帯電話機に代表される携帯端末装置１００の中にはこれらの表示内容を一度に表示することができないものも多い。そこで、比較的表示面積の小さなディスプレイの場合には、これらをスクロールによって表示したり、階層構造で表示する等の通常行われる変更が可能である。また、本実施例の携帯端末装置１００の場合にはプルダウンメニューやラジオボタンを使用して外部出力の設定を行うことにしているが、これについても携帯端末装置１００の種類等に応じて適宜変更できることはもちろんである。
【００３０】
ディスプレイ１１７の外部出力設定画面には、（１）として「出力手段」を特定する項目が表示されている。ユーザ１６１は、外部接続部１１８としての「コネクタ」と、第２の無線部１０９としての「無線」のいずれかをラジオボタンで選択する。図３に示した例の場合には、「無線」が選択されることになる。
【００３１】
次にユーザ１６１は「外部出力機器」の新規登録あるいは更新登録処理を行う。（１）の「出力手段」の選択に合わせて対応する外部出力機器と通信が行われて、その外部出力機器のＩＤ（Identification）が外部出力機器ＩＤ欄１８３に表示されるようになっている。この例では、（１）の「出力手段」として「無線」が選択されたので、携帯端末装置１００がその第２の無線部１０９を動作させて、その近傍に存在し無線の待機状態となっている視聴装置１６８と無線通信を行う。そして、その結果、視聴装置１６８から取得した「第１の無線機器ＩＤ」を外部出力機器ＩＤ欄１８３に識別情報として表示することになる。「第１の無線機器ＩＤ」は本来のＩＤだけでなく、その外部出力機器の製造メーカや型番あるいはニックネームといった情報を併せて表示するものであってもよい。これにより、ユーザ１６１は視覚情報の出力の対象となる外部出力機器を容易に確認することができる。このような情報の表示は、ユーザ１６１あるいは携帯端末装置１００のメーカが識別情報と併せて図示しないテーブルに対応付けを行っておくことで簡単に実現することができる。
【００３２】
以上の例と異なり、たとえば（１）の「出力手段」として「コネクタ」が接続されていた場合、携帯端末装置１００は外部接続部１１８（図１）に接続された図示しない外部出力機器と通信を行ってそのＩＤを取得する。そして、たとえば「第１のコネクタ機器ＩＤ」として外部出力機器ＩＤ欄１８３にその識別情報を表示することになる。
【００３３】
なお、「出力手段」として「無線」が選択された場合で、携帯端末装置１００が第２の無線部１０９として複数の無線通信手段を備えていた場合には、あらかじめ定めた順序でそれぞれの無線通信手段が周囲の外部出力機器との通信を試みることになる。この結果としてたとえば無線ＬＡＮで通信を行う外部出力機器と、ブルートゥースで通信を行う外部出力機器のそれぞれがたまたま通信を待機する状態になっていたとすると、外部出力機器ＩＤ欄１８３にはそれぞれの外部出力機器のＩＤ等が複数通り表示される。この場合、ユーザ１６１は視聴データの外部出力を行おうとする外部出力機器を１つだけその中から選択することになる。
【００３４】
このようにして外部出力機器ＩＤ欄１８３に識別情報が表示されたら、制御部１０４は図２に示す視聴データ設定部１５４を検索して、同一の識別情報の視聴装置１６８について過去に設定が行われていたならばこれを読み出して、以降の各項目について各ラジオボタンの表示を反映される。これらの表示内容によって特定される外部出力形態を採用するものであれば、ユーザ１６１はこのまま「設定登録」ボタン１８１を押せばよい（図４ステップＳ２０７：Ｙ）。これにより、その設定内容が視聴データ設定部１５４におけるその識別情報に対応する設定内容として上書き保存されて（ステップＳ２０８）、設定データ１５５として視聴データ合成部１２１および視聴データ選択部１２２に送られ、外部出力機器の設定が行われる（ステップＳ２０９）。
【００３５】
これに対して、外部出力機器ＩＤ欄１８３に識別情報が表示された段階で視聴データ設定部１５４を検索した結果、同一の識別情報の視聴装置１６８について過去に設定が行われていなかった場合、図５の（３）以降の各項目についての設定が行われる。そして、その後に「設定登録」ボタン１８１が押されることになる（ステップＳ２０７：Ｙ）。過去に設定が行われていた視聴装置１６８であっても、今回の視聴で設定内容を一部変更する場合には、図５の（３）以降の項目のうちの必要なものについて修正を行い、その後に「設定登録」ボタン１８１を押せばよい。
【００３６】
次に、各設定項目を簡単に説明する。図５の（３）の「電池残量」の項では、図１２に示した電池残量マーク５０６を出力先の視聴装置１６８に表示するかどうかの設定を行う。ここで「残量わずかのとき表示」のラジオボタンを図示のように選択した場合、電池の残量が残り少なくなっていない状態で視聴装置１６８に電池残量マーク５０６は表示されないが、電池が残り少なくなってきた場合のみ電池残量マーク５０６が表示されることになる。これにより、携帯端末装置１００が突然動作しなくなるまでユーザ１６１が気が付かないといった不具合の発生を防止することができる。これに対して、図示しない電源供給装置から電源を供給している状態で携帯端末装置１００を動作させているような状態では、ユーザ１６１は「表示しない」を選択することが可能である。
【００３７】
（４）の「電波強度」の項では、図１２に示す受信レベルマーク５０５を出力先の視聴装置１６８に表示するかどうかの設定が行われる。ここでは、パーティ会場１６７で視聴を行うという環境の配慮から、電波強度を表示しない設定となっている。
【００３８】
（５）の「受信メール」の項では、本来の視聴データを視聴装置１６８に出力している状態で電子メールが受信したときに、その通知を視聴装置１６８自体で行うかどうかの設定が行われる。図示のように「一括して非通知」が選択された場合には、図２に示すアドレス帳１４１に登録されているか否かに係わらず、メールを受信したことが視聴装置１６８を使用して出力されることはない。
【００３９】
これに対して、「一括して通知」が選択された場合には、電子メールが携帯端末装置１００に送られてきたとき、その送信者がアドレス帳１４１に登録されているか否かに係わらず、通知できる情報が視聴装置１６８に出力されることになる。この「一括して通知」が選択された場合には、更にどのような細目で電子メールが一括して通知されるかの範囲を同様にラジオボタンで選択することができる。たとえば、図１２に示したように電子メールを送ってきた送信者の登録した画像５０８を視聴装置１６８で出力したくない場合、「登録画像」の細目にラジオボタンのチェックを入れればよい。同様にたとえば「まいける」といったその送信者の名前５０９も表示しない場合には「氏名」の細目にラジオボタンのチェックを入れることになる。なお、「音」という細目にラジオボタンのチェックを入れておくと、メールの受信を知らせる音を視聴装置１６８から出力しないようにすることができる。また、この例と異なり出力したい細目にラジオボタンのチェックを入れるようにしてもよい。
【００４０】
次に、受信メールについての「個別通知設定」について説明する。特定の者から大変重要な電子メールを受信する予定があるような場合には、それ以外の者からの電子メールの受信の通知は無視しても、その特定の者からの受信は視聴装置１６８で通知させる必要がある。このような場合に、「個別通知設定」が行われる。この「個別通知設定」のラジオボタンを選択すると、制御部１０４はアドレス帳１４１に登録された名前およびそれらの電子メールのアドレスのデータを読み出して、ディスプレイ１１７に図示しないポップアップウィンドウを表示する。ユーザ１６１はこの中から、通知の対象となる電子メールの送信元を選択すればよい。したがって、アドレス帳１４１に登録されていない電子メールの送信元については、「個別通知設定」の通知の対象とはならない。
【００４１】
（６）の「着信（通話）」の項では、視聴データを視聴装置１６８に出力している状態で電話が掛かってきた場合の設定が行われる。「自端末以外一括非通知」の選択が行われると、ユーザ１６１の携帯端末装置１００が携帯電話機のように通話機能を備えている場合で、かつ視聴データ選択部１２２による視聴データを出力する出力機器の選択の設定がなされている場合は、携帯端末装置１００側に呼出音等による通知が行われるが、視聴装置１６８側には音や文字等による着呼の通知は行われない。携帯端末装置１００側の通知の形態については、ブザーの鳴動のみを行うといったような携帯端末装置１００自体での独自の設定が可能である。
【００４２】
「受信信一括オフ」の選択が行われた場合には、携帯端末装置１００の電源が切られている場合と同様に電話の着呼自体が行われない。視聴装置１６８への視聴データの出力が大事な得意先を相手に行われているような場合で、電話が掛かってきたら困るような場合、通常は携帯端末装置１００の電源を切ればよい。しかしながら、この携帯端末装置１００を視聴装置１６８に対する出力機器として用いる場合には、その電源を切ることができない。そこで、このような場合には、「受信一括オフ」をラジオボタンで選択することになる。
【００４３】
この「着信（通話）」の項でも「個別通知設定」を行うことができる。「個別通知設定」を行った場合には、電話が掛かってきたときに送信元の電話番号をチェックして、着信（通話）を許可された電話番号の電話のみについて視聴装置１６８の通知の対象とする。このとき、通知を表示画面１６９上で文字のみで行うか、スピーカ１７０、１７１を用いて音で行うか等の通知の形態については、図示しないポップアップメニューで自由に選択することができる。
【００４４】
ディスプレイ１１７に表示された各項目の選択が行われたり、表示された内容で携帯端末装置１００の設定が可能な場合、ユーザ１６１は「設定登録」のボタンを選択する。これに対して、ディスプレイ１１７に表示された設定内容を視聴データ設定部１５４（図２）に設定する必要がない場合、ユーザ１６１は「キャンセル」のボタンを選択することになる。この場合、視聴データ設定部１５４は直前に設定された内容を保持しており、この内容で視聴データ合成部１２１および視聴データ選択部１２２を制御することになる。
【００４５】
図６は、視聴データを出力している際に外部から電子メールが到着したり電話が掛かってきた場合の携帯端末装置の制御の様子を表わしたものである。図３に示したユーザ１６１は、視聴の準備が終了すると、図１に示す操作部１１１を操作して携帯端末装置１００を「外部出力モード」に設定して、更に外部視聴開始を指示する。制御部１０４はこの指示を検知すると、外部視聴開始を判別し（ステップＳ２２１：Ｙ）、視聴データ設定部１５４から現在設定されている視聴装置１６８の識別情報に対応する設定内容で、本来、メインスピーカ１１６やディスプレイ１１７から出力される視聴データに出力を許可された付加情報を視聴データ合成部１２１で合成させて、これらを視聴データ選択部１２２を経由して第２の無線部１０９と外部接続部１１８のうちの対応するものから出力する（ステップＳ２２２）。たとえば、図５に示したように電池残量について「残量わずかのとき表示」が設定されていたとすると、電池残量が残りわずかになるまでその表示マークは視聴装置１６８の表示画面１６９の一部に表示されないことになる。
【００４６】
このステップＳ２２２の出力状態で制御部１０４は、通話のための着信あるいは電子メールの受信が行われるのを監視している（ステップＳ２２３、Ｓ２２４）。通話のための着信が検出された場合には（ステップＳ２２３：Ｙ）、この通話のための着信時に出力を許可された付加情報が本来の視聴データに加算されて、出力手段から視聴装置１６８に出力されることになる（ステップＳ２２５）。たとえば、図５に示したように「受信端末としての携帯端末装置１００以外では一括して非通知」の状態となっていれば、着信の際の呼出音等の着信に伴う画像や音が視聴データ合成部１２１で視聴データに合成されることはなく、したがって、これらの付加情報が視聴装置１６８で再生されることはない。
【００４７】
これに対して、たとえば、「一括して通知」が選択されて、その中の「電話番号」と「音」が通知の対象として選択されていたとすると、着信の時点で視聴装置１６８のスピーカ１７０、１７１から呼出音が出力され、また掛かってきた電話の電話番号がテキスト情報として表示画面１６９の一部に表示されることになる。なお、設定内容が視聴装置１６８と同時に携帯端末装置１００からの画像あるいは音の出力を許可している場合には、対応する画像データがディスプレイ１１７から並行して出力され、音データがメインスピーカ１１６から並行して出力されることになる。たとえば、図３のレンタルサーバ１６３から配信され携帯端末装置１００に蓄積された視聴データを視聴装置１６８に出力している状態で電話が掛かってきたとき、設定内容によって視聴データを視聴装置１６８に出力する状態を保持してユーザ１６１は相手先と通話を行うことができる。このとき、通話内容や着信音あるいは相手先の氏名等は設定内容によって視聴装置１６８に出力しないようにすることができる。
【００４８】
ステップＳ２２２の出力状態で制御部１０４が電子メールの受信を検出した場合には、この電子メールの受信時に出力を許可された付加情報が本来の視聴データに加算されて、出力手段から視聴装置１６８に出力されることになる（ステップＳ２２６）。たとえば、図５に示したように「受信端末としての携帯端末装置１００以外では一括して非通知」の状態となっていれば、電子メールの受信に伴う通知音や受信に伴う画像や音が視聴データ合成部１２１で視聴データに合成されることはなく、したがって、これらの付加情報が視聴装置１６８で再生されることはない。
【００４９】
これに対して、たとえば、「一括して通知」が選択されて、その中の「メールアドレス」と「登録画像」が通知の対象として選択されていたとする。この場合には、視聴装置１６８の表示画面１６９の一部に送信者の電子メールアドレスがテキスト情報として表示されると共に、図１２に示したように送信者について登録した画像５０８も表示される。なお、設定内容が視聴装置１６８と同時に携帯端末装置１００からの画像等の出力を許可している場合には、対応する画像データがディスプレイ１１７から並行して出力され、通知の対象として音データが選択されていた場合は、メインスピーカ１１６から並行して出力されることになる。また、「個別通知設定」が選択されている場合、設定した特定の者からの電子メールが受信されたときのみ、その者の設定された情報が、視聴装置１６８の表示画面１６９の一部に表示されたり、音の場合にはその設定された情報がスピーカ１７０、１７１から出力されることになる。
【００５０】
以上のように通話の着信時あるいは電子メールの受信時の処理が行われたら（ステップＳ２２５、Ｓ２２６）、制御部１０４（図１）は、外部視聴の終了の指示がでているかどうかを判別する（ステップＳ２２７）。外部視聴の終了の指示がでていなければ（Ｎ）、ステップＳ２２２に戻って通話の着信時あるいは電子メールの受信時以外における視聴データに許可された付加情報を加算した情報が視聴装置１６８に出力されることになる。ステップＳ２２７で外部視聴の終了の指示がでていた場合（Ｙ）、外部出力モードでの処理が終了することになる（エンド）。
【００５１】
このように以上説明した実施例では、携帯端末装置１００がこれ以外の出力手段に視聴データを出力するとき、事前にその出力手段の識別情報を取得して出力内容の設定を行うようにした。このため、同一の出力手段（たとえば図３に示す視聴装置１６８）に対して視聴データを出力するときには、前と同一の条件で付加情報を制限した形で視聴データを視聴する場合には、新たにこの制限を設定する必要はない。また、視聴についての条件が前の条件と若干異なるような場合でも、視聴についての前の条件を読み出してこれに修正を加えるだけでよいので、視聴についての条件が細かく規定されている場合でも迅速に設定が可能である。したがって、それぞれの条件に合致させた形で外部の出力機器を活用した視聴が可能であり、迫力の富んだ画像や音の再現が可能である。
【００５２】
また、本実施例ではユーザ１６１がインターネット１６２にレンタルサーバ１６３を借りて、ここに蓄積した家族旅行の動画や静止画等の視聴データを格納することにした。このため、このレンタルサーバ１６３にアクセスできる携帯端末装置１００を所持していれば、視聴データを持ち歩くことなく、どの場所に設置された外部出力機器に対しても視聴データを出力することができる。もちろん、レンタルサーバ１６３を経由せずにインターネット１６２や携帯通信網１６５から受信する各種の視聴データをこれら外部出力機器にそのまま送出してもよい。
【００５３】
＜発明の第１の変形例＞
【００５４】
以上説明した実施例では外部出力機器ごとに出力内容の設定を行うようにしたが、外部出力機器を幾つかに分類して、それぞれの分類別に、映像信号や音に対する出力の制限を行うようにしてもよい。
【００５５】
図７は、本発明の第１の変形例における外部出力機器のそれぞれの識別情報と機器区分との対応関係を示した識別情報・機器区分対応テーブルの一部を表わしたものである。この識別情報・機器区分対応テーブル３０１における「外部出力機器」の欄には、有線あるいは無線で接続される出力手段の識別情報としての外部出力機器ＩＤが記される。また、「機器区分」の欄では、映像信号や音に対する出力の制限の内容を［１］、［２］、［３］等の幾つかの機器区分に分類している。「備考」欄には各外部出力機器がどのように利用されるかのメモが記されている。たとえば「外部出力機器」が「ＴＶ−ＸＸＸ」の場合には「機器区分」が［１］であり、自宅で家族が見る場合を主として想定している。これに対して、「外部出力機器」が「ＴＶ−ＹＹＹ」の場合については「機器区分」が［２］であり、これは会社に置かれているテレビで仕事用に視聴データを出力する際に使用されることが想定される。したがって、一般には前者の「ＴＶ−ＸＸＸ」に対して携帯端末装置からのデータを出力する際の方が、付加情報の出力制限が厳しくないことになる。
【００５６】
図８は、第１の変形例の携帯端末装置に電話あるいは電子メールの受信があった場合の、それぞれの機器区分での外部出力機器の出力内容を示した外部出力機器別出力内容テーブルの一部を表わしたものである。このような外部出力機器別出力内容テーブル３０２は、図７に示した識別情報・機器区分対応テーブル３０１と同様に、先の実施例で図１に示すＲＡＭ１０３の不揮発性メモリ領域としての視聴データ設定部１５４に格納すればよい。
【００５７】
外部出力機器別出力内容テーブル３０２で、「氏名」の欄には「たけし」等のメンバの名前が記載される。「グループ」の欄にはこれらのメンバの属する集合が記される。たとえば「会社」の社員同士、あるいは同一のプライベートな「サークル」に属するメンバといったように複数のメンバが１つ１つのまとまりをなしている場合を「グループ」という。これらの「グループ」とそれぞれの外部出力機器に対する取り扱いは必ずしも一致しない。たとえば「まいける」と「じょん」は同一の第１５グループに属するが、「機器区分」の［１］での内容を異にしている。これは、それぞれのメンバが電話を掛けてきたり電子メールを送信してきたとき、同一グループの中でも扱いが異なる場合の例であり、同一グループの設定をグループ単位で一括して（同一設定）として設定するようにしても良い。
【００５８】
「電話番号／メールアドレス」の欄には、それぞれのメンバの電話番号と電子メールのアドレスが記されている。「画像（ファイル名）」は、それぞれのメンバを表わす画像であり、先の実施例のアイコン登録部１４８に登録される各メンバを表わすアイコンと対応する。「外部出力機器情報出力」の欄は、［１］、［２］、［３］といった「機器区分」と対応している。たとえば機器区分が［１］の外部出力機器に接続が行われているときに「たけし」から電話が掛かってきた場合、電話番号のみが外部出力機器のディスプレイに表示される。電子メールが受信された場合には、受信されたという通知が外部出力機器のディスプレイに表示される。これに対して同様に機器区分が［１］の外部出力機器に接続が行われているときに「まいける」から電話があった場合、図１２に示したようにその氏名、電話番号、その画像が外部出力機器のディスプレイに表示される。また、電子メールの受信があった場合には、「まいける」の氏名と画像がディスプレイに表示されることになる。
【００５９】
図９は、この変形例で電話が着信した場合の処理の流れを示したものである。図１および図２と共に説明する。なお、この変形例の携帯端末装置を実施例と区別するために携帯端末装置１００Ａと記載する。制御部１０４は、通話のための着信を監視している（ステップＳ３２１）。着信があったら（Ｙ）、携帯端末装置１００Ａが視聴データを外部出力機器に出力中であるかをチェックする（ステップＳ３２２）。外部出力機器に出力中でなければ（Ｎ）、携帯端末装置１００Ａ内部の図１で示すメインスピーカ１１６やディスプレイ１１７に着信情報を出力することで着信を通知する（ステップＳ３２３）。
【００６０】
これに対して、外部出力機器に視聴データを出力中の場合には（ステップＳ３２２：Ｙ）、電話の発信者番号を取得し（ステップＳ３２４）、また出力中の外部出力機器からＩＤを取得して、識別情報・機器区分対応テーブル３０１を用いて機器区分を判別する（ステップＳ３２５）。そして、外部出力機器別出力内容テーブル３０２を検索して、対応する「着信」の内容を読み出す（ステップＳ３２６）。対応する「着信」の内容が存在して読み出せたら（ステップＳ３２７：Ｙ）、その示す内容で外部出力機器を用いた着信通知が行われる（ステップＳ３２８）。たとえば、前記したように機器区分が［１］の外部出力機器に接続が行われているときに「たけし」から電話が掛かってきた場合、電話番号のみが外部出力機器のディスプレイに表示される。同じ機器区分が［１］の外部出力機器に接続が行われているときに「じょん」から電話が掛かってきた場合には、外部出力機器を用いた着信の通知は行われないことになる。
【００６１】
着信があった段階で外部出力機器に視聴データを出力中で、その外部出力機器をチェックした結果、識別情報・機器区分対応テーブル３０１に登録されている機器区分のいずれにも該当しない場合がある。また、機器区分のいずれかに該当したとしても発信者が外部出力機器別出力内容テーブル３０２に登録されていない場合もある。これらの原因でステップＳ３２７で外部出力機器別出力内容テーブル３０２の検索が失敗した場合（Ｎ）、この変形例では外部出力機器を用いた着信の通知が行われることなく、処理が終了する（エンド）。これは、このような場合は間違い電話が掛かってきたような通知を特に必要としない状況が多いという前提の下で、外部出力機器による視聴を阻害しないようにするためである。もちろん、ユーザがこの場合の着信の通知の内容を変更することは可能である。
【００６２】
図１０は、この第１の変形例で電子メールが着信した場合の処理の流れを示したものである。図１および図２と共に説明する。制御部１０４は、電子メールの受信を監視している（ステップＳ３４１）。電子メールの受信があったら（Ｙ）、携帯端末装置１００Ａが視聴データを外部出力機器に出力中であるかをチェックする（ステップＳ３４２）。外部出力機器に出力中でなければ（Ｎ）、携帯端末装置１００Ａ内部の図１で示すメインスピーカ１１６やディスプレイ１１７に着信情報を出力することで電子メールの受信を通知する（ステップＳ３４３）。
【００６３】
これに対して、外部出力機器に視聴データを出力中の場合には（ステップＳ３４２：Ｙ）、電子メールの送信者番号を取得し（ステップＳ３４４）、また出力中の外部出力機器からＩＤを取得して、識別情報・機器区分対応テーブル３０１を用いて機器区分を判別する（ステップＳ３４５）。そして、外部出力機器別出力内容テーブル３０２を検索して、対応する「メール」の内容を読み出す（ステップＳ３４６）。対応する「メール」の内容が存在して読み出せたら（ステップＳ３４７：Ｙ）、その示す内容で外部出力機器を用いた電子メールの受信通知が行われる（ステップＳ３４８）。たとえば、前記したように機器区分が［１］の外部出力機器に接続が行われているときに「たけし」から電子メールが送られてきた場合、電子メールが受信されたことの表示のみが外部出力機器のディスプレイに表示される。同じ機器区分が［１］の外部出力機器に接続が行われているときに「じょん」から電子メールが送られてきた場合には、外部出力機器を用いた電子メールの受信の通知は行われないことになる。
【００６４】
電子メールの受信があった段階で外部出力機器に視聴データを出力中で、その外部出力機器をチェックした結果、識別情報・機器区分対応テーブル３０１に登録されている機器区分のいずれにも該当しない場合がある。また、機器区分のいずれかに該当したとしても電子メールの送信者が外部出力機器別出力内容テーブル３０２に登録されていない場合もある。これらの原因でステップＳ３４７で外部出力機器別出力内容テーブル３０２の検索が失敗した場合（Ｎ）、この変形例では外部出力機器を用いた電子メールの受信の通知が行われることなく、処理が終了する（エンド）。これは、このような場合はスパムメールのような受信の通知を特に必要としない場合が多いという前提の下で、外部出力機器による視聴を阻害しないようにするためである。もちろん、ユーザがこの場合の電子メールの受信による通知の内容を変更することは可能である。
【００６５】
＜発明の第２の変形例＞
【００６６】
図１１は、図３に対応するもので、第２の変形例としての視聴システムを表わしたものである。第２の変形例の視聴システムでは、図３に示した大型の視聴装置１６８で映像と音を再生する他に、匂い選択部４０１とその選択するデータを受信する受信部４０２を備えた匂い出力装置４０３が匂い受信データに応じて匂い４０４を出力するようになっている。また、ユーザ１６１の腰掛ける腰掛４０６には、振動発生装置４０８が備えられており、受信部４０９で受信した振動情報を基にして振動を与えるようになっている。匂い出力装置４０３は、その内部に図示しないが匂いの元となる複数の化学物質あるいは天然の物質を収容しており、匂い受信データを解読してこれらを単独であるいは組み合わせて取り出して送風することで、あらかじめ定めた複数種類の匂いを選択的にユーザ１６１に対して出力することができる。
【００６７】
携帯端末装置１００Ｂは、図示しないサーバからデータとして感覚データ４１１を受信したとき、自装置ではそのうちの映像データと音データしか再生することができない。しかしながら、外部出力手段としての視聴装置１６８に感覚データ４１１の中から分離して復調した視聴データを送信することで映像データと音データを大画面のステレオ音声（あるいは５・１チャネルのサラウンド等）で再現できる。また、同じく感覚データ４１１の中から分離して復調した匂いデータを匂い出力装置４０３に送信することで視聴装置１６８で再生しているシーンに連動して、たとえば森林の中のすがすがしい木の匂い等を再現することができる。同様に感覚データ４１１の中から分離して復調した振動データを腰掛４０６に送信することで、再生しているシーンに連動した振動を体感させることができる。
【００６８】
この第２の変形例に示すように、外部出力手段は１つの手段である必要はなく、複数の手段の組み合わせであってもよい。また、外部出力機器には常に人間の各種の感覚を制限する形で感覚データを送出する必要はなく、反対に送出側の装置で再現できない感覚データを外部出力機器に送出して再現させる場合もあってもよい。これにより画像や音だけでなく、更に多くの感覚をユーザに与えて感覚データの再生時の迫力を増大させることができる。また、電子メールが受信された場合にユーザ１６１にあらかじめ対応付けた特定の腰掛を振動させるようにすることで、他の視聴者に迷惑を掛けることなく、電子メールの受信の事実を知るといった再生手法を採ることも可能である。
【００６９】
なお、実施例および変形例では、サーバ等の外部から取り込んだ視聴データあるいは感覚データの再生について説明したが、携帯端末装置等の出力装置がたとえばカメラ部１１５（図１）で取得した映像や音のデータを外部出力機器に出力する際の各種データの選択についても本発明を同様に適用することができることは当然である。
【図面の簡単な説明】
【００７０】
【図１】本発明の一実施例におけるデータ出力装置としての携帯端末装置の構成を表わしたブロック図である。
【図２】本実施例の携帯端末装置における視聴データの処理に関する回路部分を示したブロック図である。
【図３】本実施例の携帯端末装置を使用して、パーティ会場で視聴データを大型の視聴装置に出力している視聴システムを表わしたシステム構成図である。
【図４】本実施例で携帯端末装置に受信中あるいは一度受信した視聴データを無線で外部の視聴装置に出力する際の設定の様子を表わした流れ図である。
【図５】本実施例で外部出力設定画面の表示内容を示したディスプレイの平面図である。
【図６】実施例で視聴データを出力している際に外部から電子メールが到着したり電話が掛かってきた場合の携帯端末装置の制御を示す流れ図である。
【図７】本発明の変形例における識別情報・機器区分対応テーブルの要部を示す説明図である。
【図８】本発明の第１の変形例における外部出力機器別出力内容テーブルの要部を示す説明図である。
【図９】本発明の第１の変形例で電話が着信した場合の処理を表わした流れ図である。
【図１０】第１の変形例で電子メールが着信した場合の処理を表わした流れ図である。
【図１１】本発明の第２の変形例としての視聴システムを表わしたシステム構成図である。
【図１２】携帯電話端末から出力されるビデオ信号をそのままテレビジョンに入力した場合に映し出される映像の一例を示した正面図である。
【符号の説明】
【００７１】
１００  携帯端末装置（データ出力装置）
１０１  ＣＰＵ
１０２  ＲＯＭ
１０４  制御部
１０９  第２の無線部
１１３  通話用スピーカ
１１４  マイクロフォン
１１６  メインスピーカ
１１７  ディスプレイ
１１８  外部接続部
１２１  視聴データ合成部
１２２  視聴データ選択部
１３６  付加情報生成部
１５４  視聴データ設定部
１６８  大型の視聴装置（外部出力機器）
１６９  表示画面
１７２、４０２、４０９  受信部
３０１  識別情報・機器区分対応テーブル
３０２  外部出力機器別出力内容テーブル
４０３  匂い出力装置（外部出力機器）
４０６  腰掛（外部出力機器）
４１１  感覚データ
【図１】
2006262190.tif 000003
【図２】
2006262190.tif 000004
【図３】
2006262190.tif 000005
【図４】
2006262190.tif 000006
【図５】
2006262190.tif 000007
【図６】
2006262190.tif 000008
【図７】
2006262190.tif 000009
【図８】
2006262190.tif 000010
【図９】
2006262190.tif 000011
【図１０】
2006262190.tif 000012
【図１１】
2006262190.tif 000013
【図１２】
2006262190.tif 000014